(57)【要約】  【課題】バーストパターン幅のトリミングを、直流消去で行うことにより、消去幅の影響でバーストパターン幅が所定の幅より小さくなる問題があった。  【解決手段】バーストパターン幅のトリミングを、より消去幅の小さい高周波信号書き込みにより行う。さらに、上記高周波信号パターンを、位相が逆転した同周期の信号書き込みで消去する。【選択図】図１
2005063667.tif 000002
【特許請求の範囲】
【請求項１】
基板上に磁性膜を有する磁気記録媒体と、上記磁気記録媒体表面に対向して設けられた磁気ヘッドと、上記磁気ヘッドにより上記磁気記録媒体上に信号の記録再生を行うための磁気記録再生回路とを有する磁気記録装置の上記磁気記録媒体に位置決め用パターンを記録する方法であって、上記位置決め用パターンの、上記磁気ヘッド幅方向の寸法を、高周波数信号記録により規定することを特徴とする位置信号記録方法。
【請求項２】
前記高周波数信号記録における周波数は、前記位置信号の記録周波数に比較して２倍以上高いことを特徴とする請求項１記載の位置信号記録方法。
【請求項３】
前記高周波数信号記録における周波数は、前記磁気記録媒体と前記磁気ヘッドとによる記録再生の周波数特性において、信号劣化が低周波領域の信号強度に比べて３ｄＢ以上となる周波数領域にあることを特徴とする請求項１記載の位置信号記録方法。
【請求項４】
前記高周波数信号記録の後、同一トラック上の上記高周波数信号に重ねて、上記高周波数信号記録と同じ周波数で位相が１８０°遅れて、もしくは進んでいる高周波数信号記録を行うことを特徴とする請求項１記載の位置信号記録方法。
【請求項５】
基板上に磁性膜を有する磁気記録媒体と、上記磁気記録媒体表面に対向して設けられた磁気ヘッドと、上記磁気ヘッドにより上記磁気記録媒体上に信号の記録再生を行うための磁気記録再生回路とを有する磁気記録装置において、位置決め用パターンの上記磁気ヘッド幅方向の寸法を、高周波数信号記録により規定して上記磁気記録媒体に位置決め用パターンを記録する手段を有することを特徴とする磁気記録装置。
【請求項６】
前記高周波数信号記録における周波数は、前記位置信号の記録周波数に比較して２倍以上高いことを特徴とする請求項５記載の磁気記録装置。
【請求項７】
前記高周波数信号記録における周波数は、前記磁気記録媒体と前記磁気ヘッドとによる記録再生の周波数特性において、信号劣化が低周波領域の信号強度に比べて３ｄＢ以上となる周波数領域にあることを特徴とする請求項５記載の磁気記録装置。
【請求項８】
前記高周波数信号記録の後、同一トラック上の上記高周波数信号に重ねて、上記高周波数信号記録と同じ周波数で位相が１８０°遅れて、もしくは進んでいる高周波数信号記録を行うことを特徴とする請求項５記載の磁気記録装置。
【発明の詳細な説明】
【技術分野】
【０００１】
本発明はフレキシブル型磁気ディスク装置，リジッド型磁気ディスク装置等の磁気記録方法および装置に関する。
【背景技術】
【０００２】
磁気記録装置におけるヘッド位置決めのための位置信号は、例えばオール１となるような信号列（バーストパターン，バースト信号）を磁気記録媒体上にあらかじめ離散的に記録することで形成している。上記バースト信号を磁気記録トラック方向に沿って千鳥配置することで、信号再生時に一対のバースト信号の振幅差をトラック幅方向のずれ量として換算することにより、磁気ヘッドの位置ずれ量を得る。
【０００３】
例えば、従来の位置決め用バーストパターンの記録方法は、図４に示した通りである。（ａ）は実際に書き込まれたサーボパターンであり、（ｂ）には、それぞれの記録位置（１)〜(４）に対応する記録電流のタイミングチャートを図示してある。記録トラック幅ｔの記録ヘッド４１と再生ヘッド４２とが搭載された記録／再生コンポジットヘッドを用いて、サーボトラックピッチｐのバーストパターン４３を、記録トラックの中心線４４に沿って書き込む。
【０００４】
まず（１）でＡのパターンの最初の１／２を書き込み、Ｂ，Ｃの領域ではＤＣ消去を行い、Ｄのパターンの２番目の１／２を書き込む。次に１／２サーボトラックピッチずらした（２）で、Ａのパターンの２番目の１／２を書き込み、Ｂの領域ではＤＣ消去を行い、Ｃのパターンの最初の１／２を書き込み、Ｄの領域ではＤＣ消去を行う。さらに１／２サーボトラックピッチずらした（３）では、Ａの領域でＤＣ消去を行い、Ｂのパターンの最初の１／２を書き込み、Ｃのパターンの２番目の１／２を書き込み、Ｄの領域ではＤＣ消去を行う。さらに１／２サーボトラックピッチずらした（４）では、Ａの領域でＤＣ消去を行い、Ｂのパターンの２番目の１／２を書き込み、Ｃの領域でＤＣ消去を行い、Ｄのパターンの最初の１／２を書き込む。以下、操作としては（１）に戻ってこれを繰り返す。
【０００５】
磁気記録密度が向上するにつれて、上記バースト信号のトラック幅方向寸法の正確さがますます重要となってきており、図４に示すように一旦記録されたバースト信号の端部をさらに消去（トリミング４６）することで、サーボパターンの消去側のエッジ（トリミングエッジ４５）は理屈の上では規定され、記録するヘッドのトラック幅ばらつき等に影響されない正確な寸法幅の信号を記録することが可能となっている。
【０００６】
従来上記の消去（トリミング）操作は、直流消去によって行われてきた。これは、一旦記録されたバースト信号に対し、所定のトラック幅寸法に移動後、一方向に一定磁界がかかるような消去を行うものである。
【発明の開示】
【発明が解決しようとする課題】
【０００７】
しかしながら上記の直流消去方法では、顕微鏡等で光学的に観測されたトラック幅以上に記録された位置信号を消去してしまうという欠点があった。これは消去にじみという現象によるものであり、記録電流値や記録ヘッドの形状等に起因して発生するものである。例えば図４の従来方法においては、バーストパターンの中に消去にじみ幅ｅが存在したり、必要寸法以上に消去してしまうことにより、位置信号の再生出力は所定の寸法にて記録されている場合に比較して劣化することになり、位置信号品質の劣化から位置決め精度の劣化を引き起こすことになる。位置決め精度が劣化すれば、高記録密度の達成が難しくなる。
【０００８】
本発明は以上の点に鑑みなされたものであって、位置信号品質の劣化が少なくなる位置信号記録方法と、この位置信号が記録された磁気ディスク装置を提供することを目的とする。
【課題を解決するための手段】
【０００９】
本発明では上記目的を達成するために、以下の磁気記録特性を利用する。図５に示したように、記録ヘッドの光学的なトラック幅以上に記録してしまう幅ａは、記録周波数の上昇と共に漸減する傾向にあり、一方で図６に示したように、記録時に記録幅以上に消去してしまう幅ｂは、記録周波数の高い領域で減少する傾向にある。これは、記録ヘッドの記録能力がヘッド内の渦電流の増加等で劣化することに由来する。
【００１０】
上記磁気記録特性によれば、位置信号幅を規定するための消去方法は、直流消去よりも高周波書き込みの方が、消去にじみ幅という観点からは有利であるといえる。上記の消去法を「高周波消去法」と呼ぶことにする。ここで、上記高周波消去における周波数は、以下の２点のいずれかの方法により決定すべきである。
【００１１】
第１の決定法は、後述するサーボ信号のフィルタリングを考慮し、バースト周波数ｆｂの２倍以上の周波数ｆｅで上記高周波消去を行うことが望ましい。第２の決定法は、磁気記録媒体と磁気ヘッドとによる記録再生の周波数特性において、信号劣化ｒが低周波領域の信号強度に比べて３ｄＢ以上となる周波数領域    （ｆｅ〜）にあることが望ましい。なぜならば、そのような周波数の信号であれば、高周波消去領域において、信号として認識されにくく、あたかも消去されているように見えるからである。
【００１２】
バースト信号再生は次のようにして行う。サーボ信号の再生はノイズ除去等を目的としてローパスフィルターによりサーボ信号を取り出している。いま、上記高周波消去により記録された高周波信号は、このローパスフィルターにより除去されることとなり、信号としては再生されないはずである。従って、サーボ信号再生法としては、原理的には従来法で十分である。
【００１３】
しかし実際に磁気記録的に見ると、上記高周波信号パターンには磁化遷移領域より発生する磁化遷移ノイズが、低周波数信号パターンよりも多く含まれており、しかもこのノイズには低周波分も含まれているため、フィルタリングにより除去できないという問題が発生する。この問題は以下のようにして解決する。
【００１４】
高周波消去信号の記録周波数と同じ周波数で、位相が１８０°ずれた（遅れた又は進んだ）信号を、上記高周波消去領域に再度記録する。位相が１８０°ずれていることにより、以前記録されていた高周波信号に対してこれを打ち消すように書き込みがなされ、結果として高周波信号は消去されることになる。この高周波信号パターンの消去法を「カウンター消去法」と呼ぶことにする。これは、位相が１８０°ずれているため、例えば前歴の高周波信号の山とカウンター消去による信号の谷とが干渉して信号はほぼ０となる。結果として、従来の直流消去よりもにじみ幅の小さいトリミングがなされることになる。
【発明の効果】
【００１５】
本発明によると、従来方法に見られるような、バーストパターンの中に消去にじみ幅が存在したり、必要寸法以上に消去してしまうことによる位置信号品質の劣化を少なくできる。従って記録の高密度化がより容易となり、磁気記録装置の記憶容量増加に果たす本発明の役割は極めて大である。
【発明を実施するための最良の形態】
【００１６】
（実施例１）
図１に本発明の実施例１を示す。図１（ａ）は実際に書き込まれたサーボパターンであり、図１（ｂ）には、それぞれの記録位置（１)〜(４）に対応する記録電流のタイミングチャートを図示してある。以下図面に従って説明する。
【００１７】
記録トラック幅ｔの記録ヘッド１１と再生ヘッド１２とが搭載された記録／再生コンポジットヘッドを用いて、サーボトラックピッチｐのバーストパターン
１３を、記録トラックの中心線１４に沿って書き込む。まず（１）でＡのパターンの２番目の１／２を書き込み、Ｂの領域ではＤＣ消去を行い、Ｃのパターンの最初の１／２を書き込み、Ｄの領域では高周波消去を行う。次に１／２サーボトラックピッチずらした（２）で、Ａの領域では高周波消去を行い、Ｂのパターンの最初の１／２を書き込み、Ｃのパターンの２番目の１／２を書き込み、Ｄの領域ではＤＣ消去を行う。さらに１／２サーボトラックピッチずらした（３）では、Ａの領域でＤＣ消去を行い、Ｂのパターンの２番目の１／２を書き込み、Ｃの領域では高周波消去を行い、Ｄのパターンの最初の１／２を書き込む。さらに１／２サーボトラックピッチずらした（４）では、Ａのパターンの最初の１／２を書き込み、Ｂの領域では高周波消去を行い、Ｃの領域でＤＣ消去を行い、Ｄのパターンの２番目の１／２を書き込む。以下、操作としては（１）に戻ってこれを繰り返す。
【００１８】
これにより、（ａ）に見られるように、バーストパターン１３の上側のエッジは書き込みエッジ、下側のエッジは高周波消去エッジとなり、トリミングによりパターン幅が減少する量は従来よりも少なくなる。
【００１９】
（実施例２）
図２に本発明の実施例２を示す。図２（ａ）は実際に書き込まれたサーボパターンであり、図２（ｂ）には、それぞれの記録位置（１)〜(４）に対応する記録電流のタイミングチャートを図示してある。以下図面に従って説明する。
【００２０】
記録トラック幅ｔの記録ヘッド２１と再生ヘッド２２とが搭載された記録／再生コンポジットヘッドを用いて、サーボトラックピッチｐのバーストパターン
２３を、記録トラックの中心線２４に沿って書き込む。まず（１）で、Ａの領域で電流値を０としてそのまま通過し、Ｂの領域ではＤＣ消去を行い、Ｃのバーストパターンを書き込み、Ｄの領域では高周波消去を行う。次に１／２サーボトラックピッチずらした（２）で、Ａの領域では高周波消去を行い、Ｂのバーストパターンを書き込み、Ｃの領域で電流値を０としてそのまま通過し、Ｄの領域ではＤＣ消去を行う。さらに１／２サーボトラックピッチずらした（３）では、Ａの領域でＤＣ消去を行い、Ｂの領域で電流値を０としてそのまま通過し、Ｃの領域では高周波消去を行い、Ｄのバーストパターンを書き込む。さらに１／２サーボトラックピッチずらした（４）では、Ａのバーストパターンを書き込み、Ｂの領域では高周波消去を行い、Ｃの領域でＤＣ消去を行い、Ｄの領域で電流値を０としてそのまま通過する。以下、操作としては（１）に戻ってこれを繰り返す。
【００２１】
これにより、（ａ）に見られるように、バーストパターン２３の上側のエッジは書き込みエッジ、下側のエッジは高周波消去エッジとなり、トリミングによりパターン幅が減少する量は従来よりも少なくなる。尚、この実施例２の方法では、記録ヘッドのトラック幅ｔが、トラックピッチｐと同等、もしくはそれよりも大きいことが必要とされる。この条件に満たない場合には、実施例１の方法を用いることになる。
【００２２】
（実施例３）
図３に本発明の実施例３を示す。図３（ａ）は実際に書き込まれたサーボパターンであり、図３（ｂ）には、それぞれの記録位置（１)〜(４）に対応する記録電流の与え方を図示してある。以下図面に従って説明する。
【００２３】
記録トラック幅ｔの記録ヘッド３１と再生ヘッド３２とが搭載された記録／再生コンポジットヘッドを用いて、サーボトラックピッチｐのバーストパターン
３３を、記録トラックの中心線３４に沿って書き込む。まず（１）で、Ａの領域で電流値を０としてそのまま通過し、Ｂの領域ではＤＣ消去を行い、Ｃのバーストパターンを書き込み、Ｄの領域では高周波消去を行う。この後、トラック位置を移動せず、（１′）に示すように、Ａ〜Ｃの領域では電流値を０としてそのまま通過し、Ｄの領域で（１）での高周波消去のパターンと、位相が１８０°ずれたパターンを書き込む。次に１／２サーボトラックピッチずらした（２）で、Ａの領域では高周波消去を行い、Ｂのバーストパターンを書き込み、Ｃの領域で電流値を０としてそのまま通過し、Ｄの領域ではＤＣ消去を行う。この後、トラック位置を移動せず、（２′）に示すように、Ａの領域で（２）での高周波消去のパターンと、位相が１８０°ずれたパターンを書き込み、Ｂ〜Ｄの領域では電流値を０としてそのまま通過する。
【００２４】
以下同様に、実施例２で示した各トラックの書き込みの後で、高周波消去を行った領域にてそれぞれいわゆるカウンター消去を行う。これにより、（ａ）に見られるように、バーストパターン３３で上側のエッジは書き込みエッジ、下側のエッジは高周波消去エッジとなり、しかも一時書き込まれた高周波信号は最終的に消去されることにより、トリミングによりパターン幅が減少する量は従来よりも少なくなり、かつ磁化遷移ノイズの読み込みもなくなる。尚、この実施例３の方法では、実施例２同様、記録ヘッドのトラック幅ｔが、トラックピッチｐと同等、もしくはそれよりも大きいことが必要とされる。この条件に満たない場合には、実施例１の方法に対して、本実施例で行ったようなカウンター消去を用いることになる。
【図面の簡単な説明】
【００２５】
【図１】本発明の実施例１のサーボパターンと記録電流のタイミングを示す図。
【図２】本発明の実施例２のサーボパターンと記録電流のタイミングを示す図。
【図３】本発明の実施例３のサーボパターンと記録電流のタイミングを示す図。
【図４】従来のサーボパターンと記録電流のタイミングを示す図。
【図５】記録周波数と記録にじみを考慮した記録トラック幅との関係を表す説明図。
【図６】記録周波数ｆと消去にじみを考慮した記録トラック幅ｂとの関係を表す特性図。
【符号の説明】
【００２６】
１１…記録ヘッド、１２…再生ヘッド、１３…サーボパターン、１４…記録ヘッド中心線、１５…消去用パターン、４５…トリミングエッジ、４６…トリミング。
【図１】
2005063667.tif 000003
【図２】
2005063667.tif 000004
【図３】
2005063667.tif 000005
【図４】
2005063667.tif 000006
【図５】
2005063667.tif 000007
【図６】
2005063667.tif 000008
【手続補正書】
【提出日】平成16年11月5日(2004.11.5)
【手続補正１】
【補正対象書類名】特許請求の範囲
【補正対象項目名】全文
【補正方法】変更
【補正の内容】
【特許請求の範囲】
【請求項１】
トラックを有する磁気記録媒体と、該磁気記録媒体に対して信号再生ないし記録動作を行う磁気ヘッドとを有する磁気記録装置において、前記トラック上に位置決め用のサーボパターンを形成する方法であって、
前記トラック上に所定の周波数のバーストパターンを記録し、前記周波数よりも高い周波数の信号を記録する高周波数信号記録をし、
前記高周波数信号記録の後、同一トラック上の上記高周波数信号に重ねて、上記高周波数信号記録と同じ周波数で位相が１８０°遅れて、もしくは進んでいる高周波の信号記録を行うことを特徴とするサーボパターン形成方法。
【請求項２】
サーボパターンが形成されたトラックを有する磁気記録媒体と、該磁気記録媒体に対して信号再生ないし記録動作を行う磁気ヘッドとを有し、
前記サーボターンは、所定の周波数のバーストパターンが記録された領域と、該バーストパターンの周波数よりも高い周波数の信号とが記録された領域とを含み、
前記該バーストパターンの周波数よりも高い周波数の信号とが記録された領域は、周波数が同じで位相が１８０°異なる信号が記録されていることを特徴とする磁気記録装置。